(57)【特許請求の範囲】
【請求項１】
複数の携帯無線通信端末と前記各携帯無線通信端末間を接続するためのネットワークとを有するマルチメディア通信システムに用いられ、前記各携帯無線通信端末間で複数のメディアタイプのデータからなるマルチメディアメッセージの送受信を行うためのメッセージ送受信方法であって、
マルチメディアメッセージの送信を行おうとする送信元の携帯無線通信端末から、各携帯無線通信端末がメッセージとして受信することができるデータのメディアタイプおよび受信することができる各メディアタイプ毎のフォーマットの情報である前記各携帯無線通信端末毎の各メディアタイプについての処理能力の情報が記憶されているＭＭＳユーザデータベースサーバに対して、送信しようとするマルチメディアメッセージのメディアタイプ毎のフォーマット情報と、当該マルチメディアメッセージの宛先情報を送信するステップと、
前記ＭＭＳユーザデータベースサーバが、前記送信元の携帯無線通信端末から受信したメディアタイプ毎のフォーマット情報および宛先情報と、記憶されている前記各携帯無線通信端末毎の各メディアタイプについての処理能力の情報とに基づいて、前記送信元の携帯無線通信端末が送信しようとしているマルチメディアメッセージが、送信先の各携帯無線通信端末において受信可能であるか否かを判定し、該判定結果を前記送信元の携帯無線通信端末に対して、当該マルチメディアメッセージを受信不可能な携帯無線通信端末が受信可能なフォーマットの情報とともに通知するステップと、
前記ＭＭＳユーザデータベースサーバからの判定結果を受信した前記送信元の携帯無線通信端末が、送信を行うことを最終的に決定したフォーマットのマルチメディアメッセージを最終的に決定した送信先の携帯無線通信端末を宛先としてＭＭＳユーザデータベースサーバに送信するステップと、
前記送信元の携帯無線通信端末からのマルチメディアメッセージを受信したＭＭＳユーザデータベースサーバが、該マルチメディアメッセージをＭＭＳサーバに記憶させるとともにマルチメディアメッセージが届いている旨の受信通知を送信先の携帯無線通信端末に対して送信するステップと、
前記受信通知を受け取った送信先の携帯無線通信端末が、マルチメディアメッセージの受信を希望する旨の受信要求を前記ＭＭＳユーザデータベースサーバに行うステップと、
前記送信先の携帯無線通信端末からの受信要求を受信したＭＭＳユーザデータベースサーバが、前記ＭＭＳサーバに記憶されているマルチメディアメッセージを送信先の携帯無線通信端末に送信するステップとを有するメッセージ送受信方法。
【請求項２】
前記送信元の携帯無線通信端末からのマルチメディアメッセージを受信したＭＭＳユーザデータベースサーバが、マルチメディアメッセージが届いている旨の受信通知を送信先の携帯無線通信端末に対して送信する際に、当該マルチメディアメッセージには受信不可能なフォーマットのメディアタイプのデータが含まれていることを通知する請求項１記載のメッセージ送受信方法。
【請求項３】
複数の携帯無線通信端末と前記各携帯無線通信端末間を接続するためのネットワークとを有するマルチメディア通信システムに用いられ、前記各携帯無線通信端末間で複数のメディアタイプのデータからなるマルチメディアメッセージの送受信を行うためのメッセージ送受信方法であって、
マルチメディアメッセージの送信を行おうとする送信元の携帯無線通信端末から、各携帯無線通信端末がメッセージとして受信することができるデータのメディアタイプおよび受信することができる各メディアタイプ毎のフォーマットの情報である前記各携帯無線通信端末毎の各メディアタイプについての処理能力の情報が記憶されているＭＭＳユーザデータベースサーバに対して、送信しようとするマルチメディアメッセージのメディアタイプ毎のフォーマット情報と、当該マルチメディアメッセージの宛先情報と、当該マルチメディアメッセージを送信するステップと、
前記ＭＭＳユーザデータベースサーバが、前記送信元の携帯無線通信端末から受信したメディアタイプ毎のフォーマット情報および宛先情報と、記憶されている前記各携帯無線通信端末毎の各メディアタイプについての処理能力の情報とに基づいて、前記送信元の携帯無線通信端末が送信しようとしているマルチメディアメッセージが、送信先の各携帯無線通信端末において受信可能であるか否かを判定し、送信先の携帯無線通信端末に受信不可能な携帯無線通信端末が含まれている場合には、前記送信元の携帯無線通信端末から受信したマルチメディアメッセージのデータフォーマットを全ての送信先の携帯無線通信端末で受信可能なフォーマットに変更してＭＭＳサーバに記憶させるステップと、
前記ＭＭＳユーザデータベースサーバが、マルチメディアメッセージが届いている旨の受信通知を送信先の携帯無線通信端末に対して送信するステップと、
前記受信通知を受け取った送信先の携帯無線通信端末が、マルチメディアメッセージの受信を希望する旨の受信要求を前記ＭＭＳユーザデータベースサーバに行うステップと、
前記送信先の携帯無線通信端末からの受信要求を受信したＭＭＳユーザデータベースサーバが、前記ＭＭＳサーバに記憶されているマルチメディアメッセージを送信先の携帯無線通信端末に送信するステップとを有するメッセージ送受信方法。
【請求項４】
前記各携帯無線通信端末に外部端末が接続されて各メディアタイプ毎の処理能力が変化した場合には、前記各携帯無線通信端末が、新たな各メディアタイプ毎の処理能力の情報を前記ＭＭＳユーザデータベースサーバに送信するステップをさらに有する請求項１から３のいずれか１項記載のメッセージ送受信方法。
【請求項５】
複数の携帯無線通信端末と前記各携帯無線通信端末間を接続するためのネットワークとを有するマルチメディア通信システムにおいて、
複数のメディアデータからなるマルチメディアメッセージを記憶するための１または複数のＭＭＳサーバと、
各携帯無線通信端末がメッセージとして受信することができるデータのメディアタイプおよび受信することができる各メディアタイプ毎のフォーマットの情報である前記各携帯無線通信端末毎の各メディアタイプについての処理能力の情報が記憶されていて、送信元の携帯無線通信端末から受信したメディアタイプ毎のフォーマット情報および宛先情報と、記憶されている前記各携帯無線通信端末毎の各メディアタイプについての処理能力の情報とに基づいて、前記送信元の携帯無線通信端末が送信しようとしているマルチメディアメッセージが、送信先の各携帯無線通信端末において受信可能であるか否かを判定し、該判定結果を前記送信元の携帯無線通信端末に対して、当該マルチメディアメッセージを受信不可能な携帯無線通信端末が受信可能なフォーマットの情報とともに通知し、前記送信元の携帯無線通信端末から送信されてきた送信を行うことを最終的に決定したフォーマットのマルチメディアメッセージを前記ＭＭＳサーバに記憶させるとともにマルチメディアメッセージが届いている旨の受信通知を前記送信元の携帯無線通信端末において最終的に決定された送信先の携帯無線通信端末に対して送信し、前記受信通知を受け取った送信先の携帯無線通信端末からの受信要求を受信すると、前記ＭＭＳサーバに記憶されているマルチメディアメッセージを送信先の携帯無線通信端末に送信するＭＭＳユーザデータベースサーバとを有することを特徴とするマルチメディア通信システム。
【請求項６】
前記ＭＭＳユーザデータベースサーバは、送信元の携帯無線通信端末からのマルチメディアメッセージを受信したＭＭＳユーザデータベースサーバが、マルチメディアメッセージが届いている旨の受信通知を送信先の携帯無線通信端末に対して送信する際に、当該マルチメディアメッセージには受信不可能なフォーマットのメディアタイプのデータが含まれていることを通知する請求項５記載のマルチメディア通信システム。
【請求項７】
複数の携帯無線通信端末と前記各携帯無線通信端末間を接続するためのネットワークとを有するマルチメディア通信システムにおいて、
複数のメディアデータからなるマルチメディアメッセージを記憶するための１または複数のＭＭＳサーバと、
各携帯無線通信端末がメッセージとして受信することができるデータのメディアタイプおよび受信することができる各メディアタイプ毎のフォーマットの情報である前記各携帯無線通信端末毎の各メディアタイプについての処理能力の情報が記憶されていて、送信元の携帯無線通信端末から受信したメディアタイプ毎のフォーマット情報および宛先情報と、記憶されている前記各携帯無線通信端末毎の各メディアタイプについての処理能力の情報とに基づいて、前記送信元の携帯無線通信端末が送信しようとしているマルチメディアメッセージが、送信先の各携帯無線通信端末において受信可能であるか否かを判定し、送信先の携帯無線通信端末に受信不可能な携帯無線通信端末が含まれている場合には、前記送信元の携帯無線通信端末から受信したマルチメディアメッセージのデータフォーマットを全ての送信先の携帯無線通信端末で受信可能なフォーマットに変更して前記ＭＭＳサーバに記憶させ、マルチメディアメッセージが届いている旨の受信通知を前記送信元の携帯無線通信端末において最終的に決定された送信先の携帯無線通信端末に対して送信し、前記受信通知を受け取った送信先の携帯無線通信端末からの受信要求を受信すると、前記ＭＭＳサーバに記憶されているマルチメディアメッセージを送信先の携帯無線通信端末に送信するＭＭＳユーザデータベースサーバとを有することを特徴とするマルチメディア通信システム。
【請求項８】
前記各携帯無線通信端末は、外部端末が接続されて各メディアタイプ毎の処理能力が変化した場合には、新たな各メディアタイプ毎の処理能力の情報を前記ＭＭＳユーザデータベースサーバに送信する請求項５から７のいずれか１項記載のマルチメディア通信システム。
【請求項９】
同じネットワークに接続された他の携帯無線通信端末と、複数のメディアタイプのデータからなるマルチメディアメッセージの送受信を前記ネットワークを介して行うマルチメディア通信可能な携帯無線通信端末であって、
他の携帯無線通信端末に対してマルチメディアメッセージの送信を行おうとする場合には、各携帯無線通信端末がメッセージとして受信することができるデータのメディアタイプおよび受信することができる各メディアタイプ毎のフォーマットの情報である前記各携帯無線通信端末毎の各メディアタイプについての処理能力の情報が記憶されているＭＭＳユーザデータベースサーバに対して、送信しようとするマルチメディアメッセージのメディアタイプ毎のフォーマット情報と、当該マルチメディアメッセージの宛先情報と、当該マルチメディアメッセージを送信し、マルチメディアメッセージが届いている旨の受信通知が前記ＭＭＳユーザデータベースサーバから送信されてきた場合には、マルチメディアメッセージの受信を希望する旨の受信要求を前記ＭＭＳユーザデータベースサーバに行い、前記ＭＭＳユーザデータベースサーバから送信されてくるマルチメディアメッセージを受信するマルチメディア通信可能な携帯無線通信端末。
【請求項１０】
同じネットワークに接続された他の携帯無線通信端末と、複数のメディアタイプのデータからなるマルチメディアメッセージの送受信を前記ネットワークを介して行うマルチメディア通信可能な携帯無線通信端末であって、
他の携帯無線通信端末に対してマルチメディアメッセージの送信を行おうとする場合には、各携帯無線通信端末がメッセージとして受信することができるデータのメディアタイプおよび受信することができる各メディアタイプ毎のフォーマットの情報である前記各携帯無線通信端末毎の各メディアタイプについての処理能力の情報が記憶されているＭＭＳユーザデータベースサーバに対して、送信しようとするマルチメディアメッセージのメディアタイプ毎のフォーマット情報と、当該マルチメディアメッセージの宛先情報を送信し、前記ＭＭＳユーザデータベースサーバから、当該マルチメディアメッセージが、送信先の各携帯無線通信端末において受信可能であるか否かを判定した判定結果および当該マルチメディアメッセージを受信不可能な携帯無線通信端末が受信可能なフォーマットの情報を受信すると、該判定結果および該フォーマット情報に基づいて、送信を行うフォーマットおよび送信先の携帯無線通信端末を最終的に決定し、最終的に決定したフォーマットのマルチメディアメッセージを最終的に決定した送信先の携帯無線通信端末を宛先として前記ＭＭＳユーザデータベースサーバに送信し、マルチメディアメッセージが届いている旨の受信通知が前記ＭＭＳユーザデータベースサーバから送信されてきた場合には、マルチメディアメッセージの受信を希望する旨の受信要求を前記ＭＭＳユーザデータベースサーバに行い、前記ＭＭＳユーザデータベースサーバから送信されてくるマルチメディアメッセージを受信するマルチメディア通信可能な携帯無線通信端末。
【請求項１１】
外部端末が接続されて各メディアタイプ毎の処理能力が変化した場合には、新たな各メディアタイプ毎の処理能力の情報を前記ＭＭＳユーザデータベースサーバに送信する請求項９または１０記載のマルチメディア通信可能な携帯無線通信端末。
【発明の詳細な説明】
【０００１】
【発明の属する技術分野】
本発明は、複数の携帯無線通信端末と各携帯無線通信端末間を接続するためのネットワークとを有するマルチメディア通信システムに関し、特に、携帯無線通信端末間で複数のメディアタイプのデータからなるマルチメディアメッセージの送受信を行うためのメッセージ送受信方法に関する。
【０００２】
【従来の技術】
近年、携帯電話機等の携帯無線通信端末間でテキスト等のメッセージの送受信を行う機能が広く用いられている。このような従来の携帯電話システムの構成を図６に示す。図６では、携帯無線通信端末が携帯電話機であるとする。
【０００３】
この従来の携帯電話システムは、図６に示されるように、携帯電話１１０、１２０と、携帯電話システムに加入している加入者情報や電源をオンとしている携帯電話機の位置情報等の情報が登録されているデータベースであるＨＬＲ（home location resister）４０と、メールサーバ１５０と、ネットワーク６０とにより構成されている。ネットワーク６０は、基地局、基地局制御装置等により構成されていて、携帯電話機１１０、１２０間および、ＨＬＲ４０、メールサーバ１５０を接続している。
【０００４】
次に、この従来の携帯電話システムにおいて、携帯電話機１１０から携帯電話機１２０にメッセージの送信を行う手順を図７のシーケンスチャートを参照して説明する。
【０００５】
先ず、携帯電話機１１０がネットワーク６０を介してメールサーバ１５０に携帯電話機１２０宛のメッセージを送信する。メールサーバ１５０では、携帯電話機１１０からのメッセージを保持するとともに携帯電話機１２０に対して着信通知を行う。メールサーバ１５０からの着信通知を受信した携帯電話機１２０は、送信されてきたメッセージの内容を確認する場合には、メールサーバ１５０に対して受信要求を行う。携帯電話機１２０からの受信要求を受け取ったメールサーバ１５０は、保持しているメッセージの内容を携帯電話機１２０に送信する。最後に、メールサーバ１５０からのメッセージを受信した携帯電話機１２０は、メッセージを受信した旨の受信確認通知をネットワーク６０を介して携帯電話機１１０に送信する。
【０００６】
このような従来の携帯電話システムによれば、各携帯電話機間でメッセージの送受信を行うことができる。しかし、現在実用化されている携帯電話システムにおいて採用されている無線通信方式では、伝送速度が遅いため動画等のデータ量の多いデータをメッセージとして送受信することは困難である。そのためメッセージとして送受信することができるデータタイプはテキスト等のデータに限定されている。また、テキストデータに静止画像を添付するような場合であっても、各メディアタイプ毎にフォーマットが決められており、決められたフォーマットのみでの送受信が行われていた。
【０００７】
しかし、ＣＤＭＡ（符号分割多元接続：Ｃｏｄｅ  Ｄｉｖｉｓｉｏｎ  Ｍｕｌｔｉｐｌｅ  Ａｃｃｅｓｓ）通信方式等の無線通信方式の採用が予定されている次世代の携帯電話システムでは、データの伝送速度が向上する。そのため、このような次世代の携帯電話システムでは、テキスト、グラフィック、ビデオ、オーディオ等の様々なタイプのデータをメッセージとして送受信することが可能となる。
【０００８】
さらに、このような複数のメディアタイプのデータをメッセージとして送受信するマルチメディアメッセージサービス（ＭＭＳ）においては、同じビデオデータであっても様々な種類のフォーマットのデータをメッセージとして送受信することも予想される。
【０００９】
そして、このＭＭＳを提供するマルチメディア通信システムでは、携帯電話機等の携帯無線通信端末に外部端末を接続することにより、受信することができるメディアタイプの種類及びフォーマットの範囲を拡張することができるようになるとも予想される。
【００１０】
しかし、このようなＭＭＳが実現された場合、送信元の携帯無線通信端末では、送信先の携帯無線通信端末ではどのようなタイプのデータをメッセージとして受信することができるのかを知ることができない。そのため、様々なメディアタイプおよびフォーマットのデータを従来と同様にメッセージとして送受信するようにした場合、ある携帯無線通信端末から送信されたマルチメディアメッセージが送信先の携帯無線通信端末では受信することができない等の不具合が発生する可能性がある。
【００１１】
特に、外部端末を携帯無線通信端末に接続している場合と接続していない場合とで受信可能なメディアタイプ、データフォーマットの範囲が異なる場合、前回受信可能であったマルチメディアメッセージと同じメディアタイプ、データフォーマットのマルチメディアメッセージであっても、送信先の携帯無線通信端末の現在の状態では受信不可能である場合もある。そのため、前回受信可能であったマルチメディアメッセージと同じマルチメディアタイプおよびデータフォーマットのマルチメディアメッセージを送信した場合であっても、送信先の携帯無線通信端末ではそのマルチメディアメッセージを受信することができない場合もある。
【００１２】
【発明が解決しようとする課題】
上述した従来の携帯電話システムを用いてマルチメディア通信システムを実現してマルチメディアメッセージの送受信を行うとする場合、送信元の携帯無線通信端末では送信先の携帯無線通信端末がどのようなタイプおよびフォーマットのデータをメッセージとして受信することができるかを知る方法がないため、送信元の携帯無線通信端末から送信されたマルチメディアメッセージを送信先の携帯無線通信端末が受信することができないという不具合が発生するという問題点があった。
【００１３】
本発明の目的は、送信元の携帯無線通信端末では現在送信先の携帯無線通信端末ではどのようなメディアタイプ、フォーマットのデータを受信することができるのかを知ることができ、送信元の携帯無線通信端末から送信されたマルチメディアメッセージを送信先の携帯無線通信端末が受信することができないという不具合の発生を回避することができるマルチメディア通信システムを提供することである。
【００１４】
【課題を解決するための手段】
上記目的を達成するために、本発明のメッセージ送受信方法は、複数の携帯無線通信端末と前記各携帯無線通信端末間を接続するためのネットワークとを有するマルチメディア通信システムに用いられ、前記各携帯無線通信端末間で複数のメディアタイプのデータからなるマルチメディアメッセージの送受信を行うためのメッセージ送受信方法であって、
マルチメディアメッセージの送信を行おうとする送信元の携帯無線通信端末から、各携帯無線通信端末がメッセージとして受信することができるデータのメディアタイプおよび受信することができる各メディアタイプ毎のフォーマットの情報である前記各携帯無線通信端末毎の各メディアタイプについての処理能力の情報が記憶されているＭＭＳユーザデータベースサーバに対して、送信しようとするマルチメディアメッセージのメディアタイプ毎のフォーマット情報と、当該マルチメディアメッセージの宛先情報を送信するステップと、
前記ＭＭＳユーザデータベースサーバが、前記送信元の携帯無線通信端末から受信したメディアタイプ毎のフォーマット情報および宛先情報と、記憶されている前記各携帯無線通信端末毎の各メディアタイプについての処理能力の情報とに基づいて、前記送信元の携帯無線通信端末が送信しようとしているマルチメディアメッセージが、送信先の各携帯無線通信端末において受信可能であるか否かを判定し、該判定結果を前記送信元の携帯無線通信端末に対して、当該マルチメディアメッセージを受信不可能な携帯無線通信端末が受信可能なフォーマットの情報とともに通知するステップと、
前記ＭＭＳユーザデータベースサーバからの判定結果を受信した前記送信元の携帯無線通信端末が、送信を行うことを最終的に決定したフォーマットのマルチメディアメッセージを最終的に決定した送信先の携帯無線通信端末を宛先としてＭＭＳユーザデータベースサーバに送信するステップと、
前記送信元の携帯無線通信端末からのマルチメディアメッセージを受信したＭＭＳユーザデータベースサーバが、該マルチメディアメッセージをＭＭＳサーバに記憶させるとともにマルチメディアメッセージが届いている旨の受信通知を送信先の携帯無線通信端末に対して送信するステップと、
前記受信通知を受け取った送信先の携帯無線通信端末が、マルチメディアメッセージの受信を希望する旨の受信要求を前記ＭＭＳユーザデータベースサーバに行うステップと、
前記送信先の携帯無線通信端末からの受信要求を受信したＭＭＳユーザデータベースサーバが、前記ＭＭＳサーバに記憶されているマルチメディアメッセージを送信先の携帯無線通信端末に送信するステップとを有する。
【００１５】
本発明によれば、ＭＭＳユーザデータベースサーバに各携帯無線通信端末のメディアタイプ毎の処理能力を登録する機能を設けることで、携帯無線通信端末に外部端末を接続することにより受信できるマルチメディアメッセージのタイプおよびフォーマットの範囲を拡張した場合であっても、送信元の携帯無線通信端末は、送信先の携帯無線通信端末の処理能力を確認してからマルチメディアメッセージの送信を行うことができる。そのため、送信元の携帯無線通信端末から送信されたマルチメディアメッセージを送信先の携帯無線通信端末が受信することができないという不具合の発生を回避することができ、マルチメディアメッセージの送受信を行う際の混乱を無くすことができる。
【００１６】
また、本発明の他のメッセージ送受信方法では、前記送信元の携帯無線通信端末からのマルチメディアメッセージを受信したＭＭＳユーザデータベースサーバが、マルチメディアメッセージが届いている旨の受信通知を送信先の携帯無線通信端末に対して送信する際に、当該マルチメディアメッセージには受信不可能なフォーマットのメディアタイプのデータが含まれていることを通知するようにしてもよい。
【００１７】
本発明によれば、届いたマルチメディアメッセージに現在の処理機能では受信することができないフォーマットのデータが含まれていると通知された場合には、送信先の携帯無線通信端末では外部端末を接続することにより、届いたマルチメディアメッセージのフォーマットに対応した処理機能を拡張するようにできるので、送信先の携帯無線通信端末で届いたマルチメディアメッセージを受信することができないという不具合を回避することができる。
【００１８】
さらに、本発明の他のメッセージ送受信方法は、複数の携帯無線通信端末と前記各携帯無線通信端末間を接続するためのネットワークとを有するマルチメディア通信システムに用いられ、前記各携帯無線通信端末間で複数のメディアタイプのデータからなるマルチメディアメッセージの送受信を行うためのメッセージ送受信方法であって、
マルチメディアメッセージの送信を行おうとする送信元の携帯無線通信端末から、各携帯無線通信端末がメッセージとして受信することができるデータのメディアタイプおよび受信することができる各メディアタイプ毎のフォーマットの情報である前記各携帯無線通信端末毎の各メディアタイプについての処理能力の情報が記憶されているＭＭＳユーザデータベースサーバに対して、送信しようとするマルチメディアメッセージのメディアタイプ毎のフォーマット情報と、当該マルチメディアメッセージの宛先情報と、当該マルチメディアメッセージを送信するステップと、
前記ＭＭＳユーザデータベースサーバが、前記送信元の携帯無線通信端末から受信したメディアタイプ毎のフォーマット情報および宛先情報と、記憶されている前記各携帯無線通信端末毎の各メディアタイプについての処理能力の情報とに基づいて、前記送信元の携帯無線通信端末が送信しようとしているマルチメディアメッセージが、送信先の各携帯無線通信端末において受信可能であるか否かを判定し、送信先の携帯無線通信端末に受信不可能な携帯無線通信端末が含まれている場合には、前記送信元の携帯無線通信端末から受信したマルチメディアメッセージのデータフォーマットを全ての送信先の携帯無線通信端末で受信可能なフォーマットに変更してＭＭＳサーバに記憶させるステップと、
前記ＭＭＳユーザデータベースサーバが、マルチメディアメッセージが届いている旨の受信通知を送信先の携帯無線通信端末に対して送信するステップと、
前記受信通知を受け取った送信先の携帯無線通信端末が、マルチメディアメッセージの受信を希望する旨の受信要求を前記ＭＭＳユーザデータベースサーバに行うステップと、
前記送信先の携帯無線通信端末からの受信要求を受信したＭＭＳユーザデータベースサーバが、前記ＭＭＳサーバに記憶されているマルチメディアメッセージを送信先の携帯無線通信端末に送信するステップとを有する。
【００１９】
さらに、本発明のメッセージ送受信方法では、前記各携帯無線通信端末に外部端末が接続されて各メディアタイプ毎の処理能力が変化した場合には、前記各携帯無線通信端末が、新たな各メディアタイプ毎の処理能力の情報を前記ＭＭＳユーザデータベースサーバに送信するステップをさらに有するようにしてもよい。
【００２０】
本発明によれば、送信元の携帯無線通信端末からのマルチメディアメッセージは、送信先の携帯無線通信端末において受信可能なメディアタイプおよびフォーマットのデータに自動的に変更されてから各携帯無線通信端末に送信される。そのため、送信元の携帯無線通信端末では特にマルチメディアメッセージのデータフォーマットの変更等を行わなくても、送信元の携帯無線通信端末から送信されたマルチメディアメッセージを送信先の携帯無線通信端末が受信することができないという不具合の発生を回避することができる。
【００２１】
【発明の実施の形態】
次に、本発明の実施の形態について図面を参照して詳細に説明する。
【００２２】
（第１の実施形態）
図１は本発明の第１の実施形態のマルチメディア通信システムの構成を示すシステム図である。図１において、図６中の構成要素と同一の構成要素には同一の符号を付し、説明を省略するものとする。また、携帯無線通信端末は、本実施形態では、例えば、ＣＤＭＡ通信機能を有する携帯電話機であるとするが、本発明はこれに限定されるものではない。
【００２３】
本実施形態のマルチメディア通信システムは、携帯電話機１０1〜１０4と、ＭＭＳサーバ５０1〜５０3と、ＨＬＲ４０と、ＭＭＳユーザデータベースサーバ３０とがネットワーク６０を介して接続されている。ネットワーク６０は、基地局、基地局制御装置等の移動体通信網と交換装置等の交換ネットワーク等とにより構成されている。ＭＭＳユーザでベースサーバ３０は、移動体通信網、交換ネットワークのどちらに配置されていてもよい。
【００２４】
また、携帯電話機１０1には外部端末２０1が接続され、携帯電話機１０2には外部端末２０2が接続され、携帯電話機１０4には外部端末２０3、２０4が接続されている。
【００２５】
ＭＭＳサーバ５０1〜５０3は、マルチメディアメッセージをメディアタイプ毎に蓄積するためのサーバであり、例えば、ＭＭＳサーバ５０1はテキストデータを記憶し、ＭＭＳサーバ５０2はグラフィックデータおよびビデオデータを記憶し、ＭＭＳサーバ５０3はオーディオデータを記憶するように構成されている。尚、本実施形態では、３つのＭＭＳサーバ５０1〜５０3により、マルチメディアメッセージを保持するようにしているが、ＭＭＳサーバの数は３に限定されるものではなく、１つのＭＭＳサーバにより全てのタイプのマルチメディアメッセージを保持するようにしてもよいし、２つまたは４以上のＭＭＳサーバによりマルチメディアメッセージを保持するようにしてもよい。
【００２６】
ＭＭＳユーザデータベースサーバ３０には、各携帯電話機１０1〜１０4がメッセージとして受信することができるデータのメディアタイプおよび受信することができる各メディアタイプ毎のフォーマットの情報（各携帯電話機１０1〜１０4毎の各メディアタイプについての処理能力の情報）が記憶されている。
【００２７】
ＭＭＳユーザデータベースサーバ３０に登録された携帯電話機１０1〜１０4毎の各メディアタイプについての処理能力を示すデータの一例を図２に示す。
【００２８】
各携帯電話機１０1〜１０4は、外部端末が接続されていない場合には、フォーマットＴ１のテキストデータ、フォーマットＧ１のグラフィックデータ、フォーマットＶ１のビデオデータ、フォーマットＡ１のオーディオデータ（フォーマット１のマルチメディアデータ）を受信することができる機能が備えられている。そして、各携帯電話機１０1〜１０4は、外部端末が接続されることにより受信することができるデータフォーマットの範囲が拡張されるようになっている。
【００２９】
例えば、携帯電話機１０1には、現在外部端末２０1が接続されていることにより、フォーマット１のマルチメディアデータだけでなく、フォーマットＶ２のビデオデータを含むマルチメディアデータ（フォーマット２のメディアデータ）を受信することができるようになっている。なお、図２中の矢印はフォーマット１のメディアタイプと同じであることを示す。同様にして、携帯電話機１０2には、現在外部端末２０2が接続されていることにより、フォーマット１、２のマルチメディアデータを受信することができるようになっていて、携帯電話機１０4には、現在外部端末２０3、２０4が接続されていることにより、フォーマット１、２、３のマルチメディアデータを受信することができるようになっている。
【００３０】
尚、各携帯電話機１０1〜１０4は、電源がオンとなりネットワーク６０に初めて接続した際に、現在メッセージとして受信可能なメディアタイプおよびフォーマットの情報をＭＭＳユーザデータベースサーバ３０に送信するようになっている。各携帯電話機１０1〜１０4は、電源オン状態において外部端末が接続されて各メディアタイプ毎の処理能力が変化した合には、何らかの方法により、新たな各メディアタイプ毎の処理能力の情報を前記ＭＭＳユーザデータベースサーバ３０に送信する。
【００３１】
具体的には、外部端末が接続されて受信することができるメディアタイプ又はフォーマットが変更された際に、新たな各メディアタイプ毎の処理能力の情報が携帯電話機からＭＭＳユーザデータベースサーバ３０に自動的に送信するようにしてもよい。また、携帯電話機が移動して位置情報をネットワーク６０に送信する際に、新たな各メディアタイプ毎の処理能力の情報をＭＭＳユーザデータベースサーバ３０に送信するようにしてもよい。さらに、携帯電話機から自動的に送信するようにせずに、ユーザの操作により新たな各メディアタイプ毎の処理能力の情報をＭＭＳユーザデータベースサーバ３０に送信するようにしてもよい。
【００３２】
次に、本実施形態のマルチメディア通信システムの動作について図３のシーケンスチャートを参照して詳細に説明する。以下では、携帯電話機１０1からフォーマット２（テキストＴ1、グラフィックスＧ１、ビデオＶ２、オーディオＡ１）のマルチメディアメッセージを、携帯電話機１０2〜１０4に送信する場合を用いて説明する。なお、ここでは、携帯電話機からネットワーク６０へのアクセス制御手順については説明を省略する。
【００３３】
携帯電話機１０1は、上記で説明したフォーマット１のマルチメディアメッセージを送信するのに先立ち、ＭＭＳユーザデータベースサーバ３０に対し、送信しようとするマルチメディアメッセージのメディアタイプ毎のフォーマット情報と、そのマルチメディアメッセージの宛先情報つまり、送信先が携帯電話機１０2〜１０4である旨を通知する。
【００３４】
ＭＭＳユーザデータベースサーバ３０では、携帯電話機１０1から受信したメディアタイプ毎のフォーマット情報および宛先情報と、記憶している前記各携帯電話機１０1〜１０4毎の各メディアタイプについての処理能力の情報とに基づいて、携帯電話機１０1が送信しようとしているマルチメディアメッセージが、送信先の携帯電話機１０2〜１０4において受信可能であるか否かを判定し、その判定結果を携帯電話機１０1に対して、当該マルチメディアメッセージを受信不可能な携帯電話機１０3が受信可能なフォーマットの情報とともに通知する。本実施形態の場合では、携帯電話機１０2と携帯電話機１０4はフォーマット２のデータを受信可能であるが、携帯電話機１０3はフォーマットＶ１のビデオデータしか受信できない。そのため、ＭＭＳユーザデータベースサーバ３０は、携帯電話機１０3はフォーマット２のデータを受信不可能であるという判定結果とともに携帯電話機１０3が受信可能なフォーマットはフォーマット１（テキストＴ1、グラフィックスＧ１、ビデオＶ１、オーディオＡ１）のみであるという情報を携帯電話機１０1に送信する。
【００３５】
携帯電話機１０1では、ＭＭＳユーザデータベースサーバ３０からの判定結果をユーザに表示し、ユーザからの入力待ちを行う。ユーザが、表示された判定結果に基づいて、フォーマット２のデータを受信不可能な携帯電話機１０3にはマルチメディアメッセージを送信しないと判断した場合には、携帯電話機１０2と１０4のみにそのマルチメディアメッセージを送信し、一部受信不可能なデータフォーマットを含んでいても構わないと判断した場合には携帯電話機１０2〜１０4の全てに対して送信する。また、携帯電話機１０1のユーザは、フォーマット２のデータを送信しようとする全ての携帯電話機１０1〜１０3が受信可能なフォーマット１のデータに変更してから送信を行うようにしてもよい。以下の説明では、メッセージとして送信するデータのフォーマットを変更せずに、当初予定していた全ての携帯電話機１０2〜１０4にメッセージを送信した場合を用いて説明する。
【００３６】
ＭＭＳユーザデータベースサーバ３０では、携帯電話機１０1において送信を行うことを最終的に決定されたフォーマットのマルチメディアメッセージを携帯電話機１０1から受信すると、そのメディアタイプ毎にＭＭＳサーバ５０1〜５０3に保持するとともに、最終的に決定した宛先である送信先の携帯電話機１０2〜１０4に対しマルチメディアメッセージが届いていることを通知するための着信通知を行う。なお、ＭＭＳユーザデータベースサーバ３０は、携帯電話機１０3に対しては、届いたマルチメディアメッセージに含まれるビデオデータが受信不可能なフォーマットＶ２であることを通知する。
【００３７】
ＭＭＳユーザデータベースサーバ３０からの着信通知を受信した携帯電話機１０2〜１０4は、送信されてきたマルチメディアメッセージの内容を確認する場合には、ＭＭＳユーザデータベースサーバ３０に対して受信要求を行う。ここで、携帯電話機１０3には、届いたマルチメディアメッセージには受信不可能なフォーマットＶ２のビデオデータが含まれている旨の情報がを含む着信通知が送信されているため、携帯電話機１０3のユーザはビデオデータを受信するかどうかを判断し、受信する場合には外部端末を接続する等によりフォーマットＶ２のビデオデータを受信可能な状態としてからマルチメディアメッセージの受信要求を行う。ビデオデータ以外のデータのみを受信しビデオデータは受信する必要がないと判断した場合には、外部端末を接続せずにそのままマルチメディアメッセージを受信するようにしてもよい。
【００３８】
携帯電話機１０2〜１０4からの受信要求を受け取ったＭＭＳユーザデータベースサーバ３０は、ＭＭＳサーバ５０1〜５０3に保持しているマルチメディアメッセージの内容を携帯電話機１０1〜１０3にそれぞれ送信する。ＭＭＳユーザデータベースサーバ３０からのメッセージを受信した携帯電話機１０1〜１０3は、マルチメディアメッセージに含まれる全てのタイプのデータを受信した旨の受信確認通知をネットワーク６０を介して携帯電話機１０1に送信する。
【００３９】
尚、マルチメディアメッセージを受信した携帯電話機１０1〜１０3から、そのマルチメディアメッセージを送信した携帯電話機１０1への受信確認通知は、本発明を構成するためにはかならずしも必要なものではない。
【００４０】
本実施形態における携帯電話機１０1〜１０4および外部端末２０1〜２０4の構成を図４のブロック図に示す。
【００４１】
図４に示すように、携帯電話機１０1〜１０4は、それぞれ、無線部７１と、制御部７２と、操作部７３と、表示部７４と、データ部７５と、インタフェース部７６とから構成されている。
【００４２】
無線部７１は、ネットワーク６０を構成している基地局（図示略）との間で無線回線を介したデータの送受信、例えば、ＣＤＭＡによる無線通信を行っている。操作部７３は、ユーザからの操作により、各種データの入力やマルチメディアメッセージの送信可否の指示を行っている。表示部７４は、制御部７２からの指示により各種データの表示、ＭＭＳユーザデータベースサーバ３０からの判定結果の表示を行っている。データ部７５は、制御部７２からの指示に従い、各種データの格納および読み出しを行っている。インタフェース部７６は、外部端末２０1〜２０4との間のデータの送受信を行っている。
【００４３】
制御部７２は、ＭＭＳユーザデータベースサーバ３０から受信した判定結果、あるいは、その判定結果から当該マルチメディアメッセージを受信不可能な携帯電話機が受信可能なフォーマットの情報等を表示部７４に表示させるような制御、マルチメディアメッセージを送信する送信先の携帯電話機の指定、送信するマルチメディアメッセージのフォーマットの指定等の入力情報を操作部７３入力し、無線部７１を制御することによりＭＭＳユーザデータベースサーバ３０との間でデータの送受信を行っている。また、制御部７２は、送信しようとするマルチメディアメッセージ等の情報をデータ部７５に格納する制御を行い、またインタフェース部７６を制御することにより外部端末２０1〜２０4との接続、データの送受信等を制御している。
【００４４】
また、図４に示すように、外部端末２０1〜２０4は、それぞれ、インタフェース部８１と、操作部８２と、制御部８３と、表示部８４とから構成されている。
【００４５】
インタフェース部８１は、携帯電話機１０1〜１０4との間のデータの送受信を行っている。
【００４６】
操作部８２は、ユーザからの操作により、各種データの入力を行っている。表示部８４は、制御部８３からの指示により各種データの表示を行っている。制御部８３は、インタフェース部８１を制御し携帯電話機１０1〜１０4との間の接続、データの送受信等を制御している。
【００４７】
本実施形態のマルチメディア通信システムによれば、ＭＭＳユーザデータベースサーバ３０に各携帯電話機１０1〜１０4のメディアタイプ毎の処理能力を登録する機能を設けることで、携帯電話機に外部端末を接続することにより受信できるマルチメディアメッセージのタイプおよびフォーマットの範囲を拡張した場合であっても、送信元の携帯電話機は、送信先の携帯電話機の処理能力を確認してからマルチメディアメッセージの送信を行うことができる。そのため、送信元の携帯電話機から送信されたマルチメディアメッセージを送信先の携帯電話機が受信することができないという不具合の発生を回避することができ、マルチメディアメッセージの送受信を行う際の混乱を無くすことができる。
【００４８】
また、マルチメディアメッセージを受信する携帯電話機においても、届いたマルチメディアメッセージに処理能力を超えたフォーマットのデータが含まれている場合にはその旨が着信通知とともに予め送信されてくるため、届いたマルチメディアメッセージを受信することができないという不具合の発生を回避することができる。
【００４９】
（第２の実施形態）
次に、本発明の第２の実施形態のマルチメディア通信システムについて説明する。
【００５０】
本実施形態によるマルチメディア通信システムの構成は、図１に示した第１の実施形態のマルチメディア通信システムの構成において、ＭＭＳユーザデータベースサーバ３０の処理動作が一部異なるのみで後の構成は同様である。
【００５１】
上記第１の実施形態では、ＭＭＳデータベースサーバ３０は、携帯電話機１０1から受信した宛先情報とデータフォーマット情報に基づいて、送信しようとするマルチメディアメッセージが送信先の携帯電話機において受信可能かどうかを判定してその判定結果を通知するものであった。これに対して本発明の第２の実施形態におけるＭＭＳデータベースサーバ３０では、送信元の携帯電話機から送信しようとするマルチメディアメッセージのデータフォーマットが、送信先の携帯電話機が受信可能でないフォーマットの場合には、マルチメディアメッセージのデータフォーマットを送信先の携帯電話機で受信できるようなフォーマットに変更してから送信するようにしたものである。
【００５２】
本実施形態のマルチメディア通信システムにおける動作を図５を参照して説明する。
【００５３】
先ず、携帯電話機１０1は、宛先情報、データフォーマット情報とともに携帯電話機１０2〜１０4に送信しようとするマルチメディアメッセージをネットワーク６０を介してＭＭＳユーザデータベースサーバ３０に送信する。
【００５４】
ＭＭＳユーザデータベースサーバ３０では、各携帯電話機１０1〜１０4毎に登録されている、メディアタイプ毎の処理能力の情報に基づいて、携帯電話機１０1が送信しようとしているマルチメディアメッセージを、送信先の携帯電話機１０2〜１０4が受信可能かどうかを判定し、送信先の携帯電話機に受信不可能な携帯電話機が含まれている場合には、マルチメディアメッセージのデータフォーマットを全ての送信先の携帯電話機で受信できるようなフォーマットに変更してからＭＭＳサーバ５０1〜５０3に記憶させる。
【００５５】
その後、ＭＭＳユーザデータベースサーバ３０が送信先の各携帯電話機１０2〜１０4に着信通知を行い、送信先の各携帯電話機１０2〜１０4からの受信要求に基づいてマルチメディアメッセージを送信する動作は第１の実施形態と同様であるためその説明は省略する。
【００５６】
本実施形態のマルチメディア通信システムによれば、送信元の携帯電話機１０1からのマルチメディアメッセージは、送信先の携帯電話機１０3において受信可能なメディアタイプおよびフォーマットのデータに自動的に変更されてから各携帯電話機１０2〜１０4に送信される。そのため、携帯電話機１０1では特にマルチメディアメッセージのデータフォーマットの変更等を行わなくても、携帯電話機１０1から送信されたマルチメディアメッセージを送信先の携帯電話機１０3が受信することができないという不具合の発生を回避することができる。このため、本実施形態によれば、第１の実施形態のマルチメディア通信システムと比較して、マルチメディアメッセージの送信元である携帯電話機１０1における操作回数を削減することができるという効果が得られる。
【００５７】
【発明の効果】
以上説明したように、本発明によれば、下記のような効果を得ることができる。
（１）送信元の携帯無線通信端末では現在送信先の携帯無線通信端末ではどのようなメディアタイプ、フォーマットのデータを受信することができるのかを知ることができ、送信元の携帯無線通信端末から送信されたマルチメディアメッセージを送信先の携帯無線通信端末が受信することができないという不具合の発生を削減することができる
（２）送信元の携帯無線通信端末からのマルチメディアメッセージは、送信先の携帯無線通信端末において受信可能なメディアタイプ、フォーマットのデータに自動的に変更されるため、送信元の携帯無線通信端末から送信されたマルチメディアメッセージを送信先の携帯無線通信端末が受信することができないという不具合の発生を削減することができる。
【図面の簡単な説明】
【図１】本発明の第１の実施形態のマルチメディア通信システムの構成を示すシステム図である。
【図２】図１中のＭＭＳユーザデータベースサーバ３０に登録されるデータ例を示す図である。
【図３】図１に示す第１の実施形態のマルチメディア通信システムの動作を説明するためのシーケンスチャートである。
【図４】携帯電話機１０1〜１０4および外部端末２０1〜２０4の構成を示すブロック図である。
【図５】本発明の第２の実施形態のマルチメディア通信システムの動作を説明するためのシーケンスチャートである。
【図６】従来の携帯電話システムの構成を示すシステム図である。
【図７】図６に示す従来携帯電話システムの動作を説明するためのシーケンスチャートである。
【符号の説明】
１０1〜１０4    携帯電話機
２０1〜１０6    外部端末
３０    ＭＭＳユーザデータベースサーバ
４０    ＨＬＲ
５０1〜５０3    ＭＭＳサーバ
６０    ネットワーク
７１    無線部
７２    制御部
７３    操作部
７４    表示部
７５    データ部
７６    インタフェース部
８１    インタフェース部
８２    操作部
８３    制御部
８４    表示部
１１０    携帯電話機
１２０    携帯電話機
１５０    メールサーバ
【図１】
0004123331.tif 000002
【図２】
0004123331.tif 000003
【図３】
0004123331.tif 000004
【図４】
0004123331.tif 000005
【図５】
0004123331.tif 000006
【図６】
0004123331.tif 000007
【図７】
0004123331.tif 000008